(57)【特許請求の範囲】
【請求項１】
釣り糸が通過するガイドリングを保持するリング保持部と、
前記リング保持部から延びる少なくとも１つの支脚と、
前記支脚の末端に位置し、釣り竿の一部と接触する下面と厚さ方向において前記下面の反対側に位置する上面と前記支脚の末端と連結する一端と長手方向において前記一端の反対側に位置する他端とを有する取付足と、
前記取付足の下面に形成され前記一端から前記他端の側に前記取付足の長手方向に沿って延びる補強溝と、を含み、
前記補強溝は、前記取付足の一端に位置する開放端と、前記開放端の反対側に位置し前記取付足の他端から前記取付足の一端の側に離隔している閉鎖端と、を有し、
前記支脚の一部と前記取付足は金属材料からなる、
釣り糸ガイド。
【請求項２】
前記補強溝と前記取付足の上面との間の前記厚さ方向における前記取付足の一部は加工硬化部を含む、
請求項１に記載の釣り糸ガイド。
【請求項３】
前記補強溝は前記取付足の下面を前記取付足の上面の側に押し込み加工して形成される、
請求項２に記載の釣り糸ガイド。
【請求項４】
前記補強溝の深さは前記取付足の下面と上面との間の厚さの２０％〜８０％である、
請求項１に記載の釣り糸ガイド。
【請求項５】
前記補強溝の長さは前記一端と他端との間の長さの１０％〜９０％である、
請求項１に記載の釣り糸ガイド。
【請求項６】
前記補強溝の幅は前記取付足の最大幅の２０％〜８０％である、
請求項１に記載の釣り糸ガイド。
【請求項７】
前記支脚の表面に形成され前記補強溝から延びる支脚補強溝をさらに含む、
請求項１に記載の釣り糸ガイド。
【請求項８】
請求項１〜請求項７のうちのいずれか一項の釣り糸ガイドを備える釣り竿。
【請求項９】
少なくとも１つの支脚と取付足とを備える釣り糸ガイドを金属のブランクシートから製造する方法であって、
前記取付足の釣竿の一部と接触する下面を前記取付足の厚さ方向において前記下面の反対側に位置する上面の側に押し込み加工して前記取付足の一端から前記取付足の長手方向における反対側に位置する他端の側に前記取付足の長手方向に延びる補強溝を形成する段階と、
末端で前記取付足の一端と連結し前記取付足に対して曲がっている前記支脚を形成する段階と、を含む
釣り糸ガイドの製造方法。
【請求項１０】
金属シートをプレス加工して少なくとも１つの支脚と一端で前記支脚の末端に連結し前記支脚に対して曲げられた取付足とを形成する段階と、
前記取付足の釣り竿の一部と接触する下面を前記取付足の厚さ方向における前記下面の反対側に位置する上面の側に押し込み加工して前記取付足の一端から前記取付足の長手方向における反対側に位置する他端の側に前記取付足の長手方向に延びる補強溝を形成する段階と、を含む
釣り糸ガイドの製造方法。
【発明の詳細な説明】
【技術分野】
【０００１】
本発明は釣り竿に取り付けられて釣り糸を案内する釣り糸ガイド及びその製造方法に関するものである。また、本発明は釣り糸ガイドを備える釣り竿に関するものである。
【背景技術】
【０００２】
リールから放出される釣り糸またはリールに巻き戻される釣り糸を釣り竿に沿って案内するために釣り糸ガイドが釣り竿に取り付けられる。釣り糸ガイドは釣り糸が通過するガイドリングと釣り竿に取り付けられガイドリングを保持するフレームを有する。釣り糸ガイドのフレームは金属材料またはプラスチック材料から製造される。【０００３】
図１９は金属製のフレームを備えた従来技術の釣り糸ガイドを示す。図１９に示す釣り糸ガイド２０は釣り糸が通過するガイドリング２１と、ガイドリング２１を保持するリング保持部２２と、リング保持部２２から延びる支脚２３と、支脚２３の末端から延びて釣り竿１０の一部１１に取り付けられる取付足２４を有する。リング保持部２２、支脚２３及び取付足２４は金属材料から一体に形成される。釣り糸ガイド２０は取付足２４を覆うように巻き糸１２を釣り竿の一部１１に巻きつけ、巻きつけられた巻き糸１２に接着剤を塗布し硬化させて接着剤コーティング１３を形成して、釣り竿１０に固着される。【０００４】
釣り糸ガイド２０は釣り糸を案内するのみならず、釣り糸にかかる張力を釣り竿１０に伝達して分散させる。魚を釣り上げるときに釣り糸に張力が発生する場合、または仕掛けをキャストしたときに釣り糸がリング保持部２２や支脚２３に引っ掛かったり絡まった場合、釣り糸にかかる張力が誘発する負荷は支脚２３と取付足２４との境界付近に集中する（図１９の符号ＬＣで示した部分参照）。このような負荷が強く集中すると、取付足２４が破損したり変形して、取付足２４が巻き糸１２から抜けてしまい釣竿１０の一部１１から分離し得る。
【先行技術文献】
【特許文献】
【０００５】
【特許文献１】特開２０００−２５３７７８号公報
【発明の概要】
【発明が解決しようとする課題】
【０００６】
仕掛けをキャストしたり魚を釣り上げるとき、軽量の釣り竿が釣り感度に有利であり、釣り竿の軽量化のためには、軽量の釣り糸ガイドが要求される。【０００７】
図１９に示す金属製のフレームを備えた釣り糸ガイドを軽量化するためには、釣り糸ガイドの素材として薄い金属シートを用いること、取付足の厚さや長さを小さくすることなどが考慮できる。しかし、薄い厚さの取付足は魚を釣り上げるときの負荷集中（図１９の符号ＬＣで示した部分参照）に十分に抵抗できず破損したり変形し得る。即ち、釣り糸ガイドの軽量化のために薄い厚さの金属シートを用いることは、釣り糸ガイドが必要とする強度を十分な水準で提供できない。また、短い長さの取付足は巻き糸から抜けてしまい得る。一方、プラスチック製のフレームを備えた釣り糸ガイドは必要な強度を備えるために必然的に厚い支脚と厚い取付足を有するようになるが、これによって巻き糸が厚い取付足に稠密に巻きつき難くなって、釣竿の生産性を悪化させる。また、厚い取付足は釣り竿との段差を増加させて釣り糸の絡みを誘発し得る。【０００８】
釣り糸ガイドの軽量化のためには、釣り糸ガイドの支脚や取付足の厚さを小さくし取付足の長さも短くしながらも要求される強度が満たされなければならない。しかし、従来技術の釣り糸ガイドは軽量化の達成、要求される強度の充足、巻き糸からの抜け防止という３つの要因を全て満たすことはできない。【０００９】
本発明はこのような従来技術の問題点を解決するために創案されたものであって、本発明は要求される強度を有しながらも軽量な釣り糸ガイドとこれを製造する方法を提供する。【００１０】
また、本発明は前述した釣り糸ガイドを備える釣り竿を提供する。
【課題を解決するための手段】
【００１１】
本発明の一側面は釣り竿に取り付けられて釣り糸を案内する釣り糸ガイドを提供する。例示的な釣り糸ガイドは、釣糸が通過するガイドリングを保持するリング保持部と、上記リング保持部から延びる少なくとも１つの支脚と、上記支脚の末端に位置し釣り竿に取り付けられる取付足と、上記取付足に形成された補強溝とを含む。上記取付足は、釣り竿の一部と接触する下面と、厚さ方向において上記下面の反対側に位置する上面と、上記支脚の末端と連結する一端と、長手方向において上記一端の反対側に位置する他端を有する。上記補強溝は上記取付足の下面において上記一端から上記他端の側に取付足の長手方向に沿って延びる。上記補強溝は、上記取付足の一端に位置する開放端と、上記開放端の反対側に位置し、上記取付足の他端から上記取付足の一端の側に離隔している閉鎖端とを有する。上記支脚の一部と上記取付足は金属材料からなる。【００１２】
他の形態において、上記補強溝と上記取付足の上面との間の上記取付足の厚さ方向における一部は加工硬化部を含む。また、上記補強溝は上記取付足の下面を上記取付足の上面の側に押し込んで形成される。【００１３】
他の形態において、上記補強溝の深さは上記取付足の下面と上面との間の厚さの２０％〜８０％である。また、上記補強溝の長さは、上記一端と他端との間の長さの１０％〜９０％である。また、上記補強溝の幅は上記取付足の最大幅の２０％〜８０％である。【００１４】
他の形態において、上記釣り糸ガイドは、上記支脚の表面に形成され上記補強溝から延びる支脚補強溝をさらに含む。【００１５】
本発明の他の側面は、釣り糸ガイドを製造する方法に関連する。例示的には、少なくとも１つの支脚と取付足とを備える釣り糸ガイドを金属のブランクシートから製造する方法を提供する。例示的な釣り糸ガイドの製造方法によれば、上記取付足の釣り竿の一部と接触する下面に補強溝が形成される。上記補強溝は上記取付足の釣り竿の一部と接触する下面を上記取付足の厚さ方向において上記下面の反対側に位置する上面の側に押し込み加工して上記取付足の一端から上記取付足の長手方向における反対側に位置する他端の側に上記取付足の長手方向に延びるように形成される。また、末端で上記取付足の一端と連結し上記取付足に対して曲げられた上記支脚が形成される。【００１６】
もう１つの例示的な釣り糸ガイドの製造方法によれば、少なくとも１つの支脚と一端で上記支脚の末端に連結し上記支脚に対して曲げられた取付足は金属シートをプレス加工して形成し、上記取付足には補強溝が形成される。上記補強溝は上記取付足の釣竿の一部と接触する下面に上記取付足の一端から上記取付足の長手方向における反対側に位置する他端の側に上記取付足の長手方向に延びるように形成され、上記取付足の下面を上記取付足の厚さ方向において上記下面の反対側に位置する上面の側に押し込み加工して形成される。【００１７】
本発明の他の側面は前述した釣り糸ガイドまたは前述した釣り糸ガイドの製造方法により製造された釣り糸ガイドを備える釣り竿を提供する。
【発明の効果】
【００１８】
この釣り糸ガイドは、負荷が集中する取付足の部分に補強溝を有する。補強溝によって負荷が集中する取付足の部分が加工硬化して、取付足は塑性変形に強い。従って、この釣り糸ガイドは強度が向上した取付足を備える。補強溝により取付足の強度が増すので、釣り糸ガイドの取付足はより一層薄い金属シートから製造することができ、軽量ながらも強度が高い釣り糸ガイドを実現する。補強溝によって強度が向上された取付足は薄い厚さに設計することができる。このような薄い取付足には巻き糸が容易に巻きつけられるので、釣竿の生産性を向上させることができ、さらに釣竿の外周面と取付足との間の段差が小さくなるため釣り糸の絡みを誘発しない。【００１９】
また、取付足の補強溝に流入して硬化した接着剤が取付足を釣り竿に固定するアンカーとして作用するようになるので、この釣り糸ガイドは例えば仕掛けのキャスト時に釣竿ガイドに釣糸が絡まった状態で仕掛けによって釣り糸が引っ張られるときに釣り糸によって加えられる負荷によって巻き糸から分離されることが防止される。従って、この釣り糸ガイドの取付足は従来技術の取付足より短く設定することができる。短く設定された取付足は、釣り糸ガイドの軽量化を実現するのみならず、釣竿の曲げを阻害することなく、釣竿の性能を向上させることができる。
【図面の簡単な説明】
【００２０】
【図１】一実施の形態における釣り糸ガイドを備える実施の形態による釣り竿を示す側面図である。
【図２】図１に示す釣り竿の一部を示す斜視図である。
【図３】一実施の形態による釣り糸ガイドを示す斜視図である。
【図４】図３に示す釣り糸ガイドの正面図である。
【図５】図３に示す釣り糸ガイドの背面図であり、支脚のみを示す。
【図６】図３に示す釣り糸ガイドの側面図である。
【図７】図３に示す釣り糸ガイドの底面図である。
【図８】図５のＶＩＩＩ−ＶＩＩＩ線に沿った断面図である。
【図９】図７と類似の底面図であって、支脚に形成された補強溝を示す。
【図１０】取付足が釣り竿の一部の外周面に接触しているのを示す部分断面図である。
【図１１】取付足が釣り竿の一部の外周面に接触しているのを示す部分正面図である。
【図１２】釣り竿の一部に固着した釣り糸ガイドを示す側面図であって、取付足と支脚の一部を断面図で示す。
【図１３】図１２の部分拡大図である。
【図１４】一実施の形態による釣り糸ガイドを製造するためのブランクシートを概略的に示す。
【図１５】支脚の一部とリング保持部がプラスティック材料で製造される釣り糸ガイドの例を示す斜視図である。
【図１６】もう１つの実施の形態による釣り糸ガイドを示す斜視図である。
【図１７】前方取付足の拡大斜視図である。
【図１８】後方取付足の拡大斜視図である。
【図１９】従来技術の釣り糸ガイドを示す側面図であって、取付足と支脚の一部を断面図で示す。
【発明を実施するための形態】
【００２１】
添付の図面を参照して本発明による釣り糸ガイド及びその製造方法の実施の形態とこれを備える釣り竿の実施の形態を説明する。図面において同一の参照番号は同一または対応する要素または部品を指示する。
【００２２】
本明細書で用いられた「前方」、「前」などの方向指示語は釣竿の先端に向かう方向を意味し、「後方」、「後」などの方向指示語は釣竿の後端に向かう方向を意味する。また、本明細書で用いられた「上方」、「上」などの方向指示語はガイドリングが嵌められるリング保持部が取付足に対して位置する方向を基準とし、「下方」、「下」などの方向指示語はその反対方向を意味する。
【００２３】
図１及び図２を参照して実施の形態による釣り竿を説明する。図１において、矢印Ｔは釣り竿の先端を指し、矢印Ｂは釣り竿の後端を指す。
【００２４】
実施の形態による釣竿１００は細長い円筒形状の竿体を有する。釣り竿の竿体は１つの竿、または複数の部分竿からなる。上記竿体が複数の部分竿からなる場合、部分竿は下挿式（ｐｕｔ  ｉｎ  ｔｙｐｅ）、上挿式（ｐｕｔ  ｏｖｅｒ  ｔｙｐｅ）、振出式（ｔｅｌｅｓｃｏｐｉｃ  ｔｙｐｅ）などで連結される。釣り竿１００はその後端付近にリール（図示せず）を取り付けるためのリールシート１４０を有する。また、釣竿１００は竿体の一部１１１に取り付けられて釣り糸を案内する実施の形態による少なくとも１つの釣り糸ガイド２００を備える。以下、上記「釣り竿の竿体の一部」は簡単に釣竿の一部１１１とし、これは竿体が１つの竿からなる場合その長手方向における一部、または竿体が複数の部分竿からなる場合部分竿のうちのいずれか１つを含む。
【００２５】
図２を参照すると、実施の形態による釣り糸ガイド２００はその取付部を釣り竿の一部１１１の外周面に接触させて巻き糸１２０で上記取付部が位置する釣竿の一部１１１を稠密に巻きつけて釣り竿１００に取り付けられる。巻き糸１２０を巻きつけた後、巻き糸１２０の解けを防ぎ隙間を埋めるために、巻きつけられた巻き糸１２０より大きい範囲に巻き糸及び取付部に接着剤を塗布して硬化させる。そうすると、巻かれた巻き糸１２０及び取付部の全体にわたって接着剤コーティング１３０が形成され釣り糸ガイド２００は釣り竿１００に固着される。
【００２６】
図３〜図１８を参照して、実施の形態による釣り糸ガイドを説明する。実施の形態による釣り糸ガイドは、釣り糸が通過するガイドリングを保持するリング保持部と、上記リング保持部から延びる少なくとも１つの支脚と、上記支脚の末端に位置し釣り竿の一部に取り付けられる取付足とを備える。また、実施の形態による釣り糸ガイドは、取付足の強度を向上させるための補強溝を取付足に有する。一実施の形態による釣り糸ガイドは１つの取付足を備える。１つの取付足を備える釣り糸ガイドは取付足と連結する１つの支脚または一対の支脚を備えることができる。もう１つの実施の形態による釣り糸ガイドは釣り竿の長手方向に離隔されている２つの取付足を備える。２つの取付足を備える釣り糸ガイドは取付足のうちの１つと連結する１つの支脚または一対の支脚を備えることができる。
【００２７】
図３〜図１３は一実施の形態による釣り糸ガイド２００を示す。図３〜図１３に示す釣り糸ガイド２００は１つの取付足を有し、このような釣り糸ガイドは当該分野において、「シングルフット（ｓｉｎｇｌｅ−ｆｏｏｔ）釣り糸ガイド」として参照される。
【００２８】
図３〜図１３を参照すると、一実施の形態による釣り糸ガイド２００は、釣り糸が通過するガイドリング２１０と、ガイドリング２１０を保持するリング保持部２２０とリング保持部２２０から延びる支脚２３０と、支脚２３０の末端に位置し釣り竿の一部１１１に取り付けられる取付足２４０を備える。ガイドリング２１０を除いた釣り糸ガイド２００の各部分は金属シートから形成される。
【００２９】
この実施の形態において、ガイドリング２１０は円形であり、その中に釣り糸が通過する円形の開口を有する。ガイドリング２１０はその表面で釣り糸と接触し、セラミックのような硬質の材料からなる。リング保持部２２０はガイドリング２１０をその外周面全体にわたって保持するように円形の開口が形成されたリング状を有する。ガイドリング２１０はその外周面でリング保持部２２０の内周面に嵌合される。
【００３０】
支脚２３０はガイドリング２２０から延び、釣り竿１００に対してガイドリング２１０及びリング保持部２２０を支持する。この実施の形態において、支脚２３０はリング保持部２２０の下端から延び、リング保持部２２０から釣り竿１００の後端側に（図２に示す矢印Ｂの方向に）傾いている。また、この実施の形態において、支脚２３０はガイドリング２１０の中心を通る垂直線に対して対称な左側半部２３０Ｌと右側半部２３０Ｒからなる。左側半部２３０Ｌと右側半部２３０Ｒは円弧状に湾曲していて、それらの上部は逆三角形の開口２３１を介して離隔しており、それらの下部は一体になっている。また、支脚２３０の下部はその幅方向において折れており、左側半部２３０Ｌと右側半部２３０Ｒの下部で横断面を取るとき、支脚２３０はＶ字型の横断面形状を有する。
【００３１】
釣り糸ガイド２００は支脚２００の末端に釣り竿の一部１１１への取付のための取付足２４０を備える。取付足２４０は薄く平たい形状を有する。釣り糸ガイド２００を側面から見るとき、取付足２４０は釣り竿の一部１１１の外周面と接触するようになる下面２４１と、取付足２４０の厚さ方向（例えば、図３に示す矢印ＴＤの方向）において下面２４１の反対側に位置する上面２４２とを有する。この実施の形態において、下面２４１は、取付足２４０の長手方向（例えば、図３に示す矢印ＬＤの方向であり、釣り竿の一部１１１の長手方向に対応する方向）に延び若干の曲率で上方に窪んだ曲面を含む。また、釣り糸ガイド２００を平面から見るとき、取付足２４０は一端２４３と取付足２４０の長手方向において一端２４３の反対側に位置する他端２４４とを有する。取付足２４０はその一端２４３で支脚２３０の末端と一体になって、支脚２３０の末端から延びる。この実施の形態において、取付足２４０と支脚２３０は互いにに対して鈍角に曲がっており、取付足２４０は鋸歯形状の側方縁を有する。
【００３２】
釣り糸ガイド２００は強度補強のための補強溝２５０を備える。補強溝２５０は取付足２４０の下面２４１に形成されている。補強溝２５０は下面２４１内で取付足２４０の幅方向（例えば、図３に示す矢印ＷＤの方向）における中央に位置し、取付足２４０の一端２４３から他端２４４に向かって取付足２４０の長手方向に沿って延びる。従って、補強溝２５０は取付足２４０の一端２４３に位置する開放端２５１と開放端２５１の反対側に位置する閉鎖端２５２を有する。
【００３３】
補強溝２５０は取付足２４０の下面２４１を上面２４２の方に補強溝２５０の形状に押し込み加工（ｉｎｄｅｎｔｉｎｇ）して形成される。上記押し込み加工における押込は取付足２４０を構成する金属材料が加工硬化を引き起こすまで行われる。従って、図８に示すように、補強溝２５０の底２５３と取付足２４０の上面２４２との間の取付足２４０の厚さ方向における部分の少なくとも一部または全体は上記押し込み加工により加工硬化した加工硬化部２４５を含む。加工硬化部２４５は取付足２４０の他の部分より高い降伏応力（ｙｉｅｌｄ  ｓｔｒｅｓｓ）または耐力（ｐｒｏｏｆ  ｓｔｒｅｓｓ）を有する。加工硬化部２４５は取付足２４０の一端２４３から補強溝２５０の閉鎖端２５２まで補強溝２５０に沿って形成され得る。このように押し込み加工により形成された補強溝２５０によって、取付足２４０がその下面２４１で釣り竿の一部１１１の外周面と接触すると、補強溝２５０と釣り竿の一部１１１の外周面との間には空間が形成される。また、補強溝２５０の開放端２５１が取付足２４０の一端２４３に位置するので、補強溝２５０の開放端２５１を通じて釣り糸ガイド２００を固着するための接着剤が補強溝２５０内部に流入し得る。補強溝２５０内部に流入した接着剤が硬化して、釣り糸ガイド２００を釣竿の一部１１１に固着させる、後述する接着剤コーティング１３０のアンカー部を生成する。
【００３４】
一実施の形態において、補強溝２５０は取付足２４０の下面２４１と上面２４２との間の厚さＴＦの２０％〜８０％の深さＤＧを有する。また、補強溝２５０の長さＬＧは取付足２４０の一端２４３と他端２４４との間の長さ（即ち、取付足２４０の全長）ＬＦの１０％〜９０％の長さを有する。したがって、補強溝２５０の閉鎖端２５２は、取付足２４０の他端２４４から一端２４３の側に離隔しており、取付足２４０の他端２４４と補強溝２５０の閉鎖端２５２との間の距離は、取付足２４０の一端２４３と他端２４４との間の長さの１０％〜９０％の長さとなる。また、補強溝２５０の幅ＷＧは取付足２４０の最大幅ＷＦの２０％〜８０％の幅ＷＧを有する。取付足２４０の下面２４１は釣竿の一部１１１の外周面の曲率に対応する曲率で湾曲し得る。補強溝２５０の横断面形状の一例として、補強溝２５０は円弧状の横断面形状を有してもよく、この場合、円弧形状の曲率は取付足２４０の上記曲率よりも小さい。
【００３５】
補強溝２５０の深さＤＧが取付足２４０の厚さＴＦの２０％より小さいか、補強溝２５０の長さＬＧが取付足２４０の全長ＬＦの１０％より小さいか、補強溝２５０の幅ＷＧが取付足２４０の最大幅ＷＦの２０％より小さいと、加工硬化部２４５が押し込み加工によって要求される水準に生成され難く、接着剤コーティング１３０の上記アンカー部が要求される水準に生成され難い。補強溝２５０の深さＤＧが取付足２４０の厚さＴＦの８０％より大きいか、補強溝２５０の幅ＷＧが取付足２４０の最大幅ＷＦの８０％より大きいと、取付足２５０の押し込み加工時に取付足２５０が脆性破壊（ｂｒｉｔｔｌｅ  ｆｒａｃｔｕｒｅ）を起こす可能性がある。補強溝２５０の長さＬＧが取付足２４０の全長ＬＦの９０％より大きいと、取付足２４０に形成される取付足の他端２４４へ行くほど薄くなる部分が円滑に形成できない。
【００３６】
図９は前述した補強溝が支脚２３０に形成された例を示す。図９を参照すると、釣り糸ガイド２００は支脚２３０の釣り竿先端に向かう面に支脚補強溝２６０を備える。支脚補強溝２６０は取付足２４０に位置した補強溝２５０の開放端２５１から支脚２３０の長手方向に延びる。支脚補強溝２５０も前述した補強溝２５０の形成方法と同一の方法で形成される。従って、支脚補強溝２５０と釣り竿の後端に面する表面との間の支脚２３０の厚さ方向における一部は加工硬化した部分を有する。このように支脚補強溝２６０が支脚２３０に形成される場合、押し込み加工により生成される加工硬化部が支脚２３０と取付足２４０にまたがって形成されるので、釣り糸ガイド２００の強度がより一層向上する。
【００３７】
図１０〜図１３を参照して、補強溝２４０による釣り糸ガイド２００の強度向上を説明する。図１０は取付足が釣り竿の一部の外周面に接触しているのを示す縦断面図である。図１０〜図１３に示す取付足２４０は図３〜図９に示す取付足２４０より短い全長を有する。また、図１２において、矢印Ｆ１は例えば仕掛けのキャスト時に釣竿ガイド２００に釣糸が絡まった状態で仕掛けによって釣糸が引っ張られるときに釣り糸によって加えられる力を示し、矢印Ｆ２は釣竿を引っ張って魚を釣り上げるときに釣り糸によって釣り糸ガイド２００に加えられる力を示す。
【００３８】
前述した押し込み加工によって補強溝２５０が取付足２４０の下面２４１に形成されるので、取付足２４０は補強溝２５０に沿って生成される加工硬化部２４５を有する。加工硬化部２４５は取付足２４０の一端２４３から補強溝２５０の少なくとも一部に沿ってまたは補強溝２５０の全長に沿って形成されている。また、加工硬化部２４５は取付足２４０の幅方向における中心に沿って取付足２４０の一端２４３から延びている。即ち、加工硬化部２４５はリング保持部２２０または支脚２３０に矢印Ｆ１の方向または矢印Ｆ２の方向に力が加えられるときに釣糸ガイド２００における負荷が集中する所に形成されている。加工硬化部２４５が取付足２４０の他の部分より高い降伏点（ｙｉｅｌｄ  ｐｏｉｎｔ）を有するようになるので、取付足２４０は加工硬化部２４５が生成された部分で塑性変形を引き起こし難い。従って、取付足２４０の矢印Ｆ１または矢印Ｆ２方向の力が加える負荷に対する抵抗が大きくなり、取付足２４０の強度が補強溝２５０によって補強される。
【００３９】
また、釣り糸ガイド２００を釣り竿に固着するために接着剤を取付足２４０に巻きつけられた巻き糸１２０に塗布すると、前述したように上記接着剤は補強溝２５０の開放端２５１を通じて補強溝２５０と釣り竿の一部１１１の外周面との間の空間内に流入する。補強溝２５０と釣り竿の一部１１１との間に流入した上記接着剤が硬化すると、取付足２４０を覆う接着剤コーティング１３０の内部には補強溝２５０と釣り竿の一部１１１との間で補強溝２５０に沿って延びるアンカー部１３１が生成される。即ち、補強溝２５０内に埋められた接着剤が硬化して生成するアンカー部１３１が釣り糸ガイド２００の強度をより一層補強する。例えば、リング保持部２２０または支脚２３０に釣り竿の後端から先端に向けて矢印Ｆ１の力が作用するとき、補強溝２５０がアンカー部１３１に引っ掛かるようになって、取付足２４０が釣り竿の先端の側に（矢印Ｔの方向に）巻き糸１２０から抜けることが防止される。
【００４０】
前述したように取付足２４０の下面に補強溝２５０が形成され、補強溝２５０と上面２４２との間に加工硬化部２４５を形成することによって、取付足２４０はより一層薄い厚さを有しながらも所望の大きさの強度を有することができる。即ち、加工硬化部２４５が取付足２４０に集中する負荷に抵抗して塑性変形を引き起こさないので、取付足２４０はより一層薄い厚さとより一層短い長さを有することができる。また、接着剤コーティング１３０のアンカー部１３１が取付足２４０を固定するので、取付足２４０はより一層短い長さを有することができる。従って、より一層薄い厚さとより一層短い長さの取付足２４０は釣り糸ガイド２００の軽量化を達成するのみならず、巻き糸１２０の巻きつけ作業にも有利さを提供する。
【００４１】
前述した補強溝２５０を備える釣り糸ガイド２００は例えばステンレススチール、チタン、チタン合金などからなる金属シートをプレス加工して製造される。釣り糸ガイド２００を製造する一例として、上記金属シートをブランキング（ｂｌａｎｋｉｎｇ）して、図１４に示すような、釣り糸ガイド２００を平面に展開させた形状からなる金属のブランクシート（ｂｌａｎｋ  ｓｈｅｅｔ）２００’を形成する。このようなブランクシート２００’には、前述したリング保持部２２０として形成されるリング保持部２２０’、前述した支脚２３０として形成される支脚部２３０’、前述した取付足２４０として形成される取付足部２４０’が含まれている。ブランクシート２００’に含まれる支脚部２３０’と取付足部２４０’から図３〜図１３に示す支脚２３０と取付足２４０をベンディング加工（ｂｅｎｄｉｎｇ）により形成する。次に、取付足２４０の下面２４１に補強溝２５０を形成する。補強溝２５０は取付足２４０の支脚２３０と連結する一端２４３から他端２４４の側に取付足２４０の長手方向に延びるように形成する。
【００４２】
ここで、補強溝２５０を形成するのは、取付足２４０の下面２４１を上面２４２の側に補強溝２５０の形状に押し込み加工（ｉｎｄｅｎｔｉｎｇ）することによって行われる。上記押し込み加工は取付足２４０の下面２４１を補強溝２５０と対応する形状の突起物が形成された押し込み工具でプレス機などを用いて加圧することによって行われ得る。また、前述したように、上記押し込み加工は補強溝２５０の底２５３と取付足２４０の上面２４２との間の取付足２４０の厚さ方向における部分が加工硬化するまで行われる。このように押込及び加工硬化を行なうことによって、取付足２４０の一端２４３から他端２４４の側へ延びる補強溝２５０と補強溝２５０及び上面２４２との間に形成される加工硬化部２４５とを備えた取付足２４０が形成される。
【００４３】
釣り糸ガイド２００を製造するもう１つの例として、上記押し込み加工はブランクシート２００’から支脚２３０と取付足２４０をベンディング加工によって形成する前に行われる。すなわち、少なくとも１つの支脚２３０と釣竿の一部１１１との取付のための取付足２４０を備える釣り糸ガイド２００を金属のブランクシート２００’から製造するにおいて、ブランクシート２００’に含まれている取付足部２４０’の釣竿の一部１１１と接触する下面２４１’に補強溝２５０を形成する。この場合にも、補強溝２５０は前述したような条件および寸法で形成される。次に、補強溝２５０が形成されたブランクシート２００’から、図３〜図１３に示す支脚２３０と取付足２４０をベンディング加工によって形成する。
【００４４】
１つの取付足を有する釣り糸ガイドの他の実施の形態として、取付足２４０の全体及び支脚２３０の一部のみが上記金属のブランクシートから一体に製造され、支脚２３０の残りの一部及びリング保持部２２０はプラスチック材料で製造されてもよい。このような例の釣り糸ガイドは、支脚の上記残りの一部及びリング保持部をプラスチック材料または繊維強化プラスチック材料を用いて射出成形または積層成形して形成され得る。図１５は支脚の残りの一部およびリング保持部がプラスティック材料で製造され１つの取付足を有する釣り糸ガイドの例を示す。図１５に示す釣り糸ガイド２００”では、金属製の取付足２４０”の一端にＶ字状の金属製の支脚フレーム２３２”が一体となっている。取付足２４０”の下面には前述した補強溝２５０と類似の補強溝２５０”が形成されている。支脚フレーム２３２”が前述した支脚の一部を構成する。釣り糸ガイド２００”の支脚２３０”はその内部に支脚フレーム２３２”を有し、支脚フレーム２３２”を除いた部分はプラスティック材料で形成されている。例えば、釣り糸ガイド２００”は、支脚２３０”とリング保持部２２０”の形状を有する金型内に支脚フレーム２３２”を配置し、プラスティック材料を金型に注入して成形することにより形成される。
【００４５】
図１６〜図１８はもう１つの実施の形態による釣り糸ガイド３００を示す。図１６〜図１８に示す釣り糸ガイド３００は２つの取付足を有し、このような釣り糸ガイドは当該分野において、「ダブルフット（ｄｏｕｂｌｅ−ｆｏｏｔ）釣り糸ガイド」として参照される。
図１６〜図１８を参照すると、この実施の形態による釣り糸ガイド３００は、釣り糸が通過するガイドリング３１０と、ガイドリング３１０を保持するリング保持部３２０と、リング保持部３２０から延びる前方支脚３３０Ｆ及び後方支脚３３０Ｒと、前方支脚３３０Ｆの末端に位置する前方取付足３４０Ｆ及び後方支脚３３０Ｒの末端に位置する後方取付足３４０Ｒを備える。ガイドリング３１０を除いた釣り糸ガイド３００の各部分は金属シートから形成される。
【００４６】
釣り糸が通過するガイドリング３１０は前述したガイドリング２１０と類似して形成される。ガイドリング３１０はその外周面でリング状のリング保持部３２０の内周面に嵌合する。
【００４７】
前方支脚３３０Ｆはリング保持部３２０の下端から釣り竿の先端に向かって（図１６に示す矢印Ｔの方向に）延びる。後方支脚３３０Ｒはリング保持部２２０の側方縁から釣り竿の後端に向かって（図１６に示す矢印Ｂの方向に）延びる。この実施の形態において、後方支脚３３０Ｒは一対の後方支脚３３０ＲＬ，３３０ＲＲを含む。釣り糸ガイド３００を正面から見るとき（釣り糸ガイド３００が釣り竿１００に装着された状態で釣り竿１００を後端から先端の側に見るとき）、左側の後方支脚３３０ＲＬはリング保持部３２０の左側縁から延び、右側の後方支脚３３０ＲＲはリング保持部３２０の右側縁から延びる。釣り糸ガイド３００を正面から見るとき、各後方支脚３３０ＲＬ，３３０ＲＲは円弧状に湾曲しており、その下端部で互いに近接する。
【００４８】
釣り糸ガイド３００は釣り竿の一部１１１への取付のための前方取付足３４０Ｆと後方取付足３４０Ｒを備える。前方及び後方取付足３４０Ｆ，３４０Ｒは薄く平たい形状を有する。前方及び後方取付足３４０Ｆ，３４０Ｒはそれぞれ、釣り竿の一部１１１の外周面と接触する下面３４１Ｆ，３４１Ｒと、厚さ方向において下面３４１Ｆ，３４１Ｒの反対側に位置する上面３４２Ｆ，３４２Ｒを有する。この実施の形態において、下面３４１Ｆ，３４１Ｒは若干の曲率で上方に窪んだ曲面または平面を含む。また、前方及び後方取付足３４０Ｆ，３４０Ｒはそれぞれ、一端３４３Ｆ，３４３Ｒと長手方向において一端３４３Ｆ，３４３Ｒの反対側に位置する他端３４４Ｆ，３４４Ｒとを有する。前方取付足３４０Ｆはその一端３４３Ｆで前方支脚３３０Ｆの末端と一体になっており、前方支脚３３０Ｆの末端から鈍角に延びる。前方取付足３４０Ｆと前方支脚３３０Ｆは互いに対して鈍角に曲げられている。後方取付足３４０Ｒはその一端３４３Ｒで各後方支脚３３０ＲＬ，３３０ＲＲの末端と一体になっており、後方支脚３３０ＲＬ，３３０ＲＲの末端から鈍角に延びる。後方取付足３４０Ｒと後方支脚３３０ＲＬ，３３０ＲＲは互いに対して鈍角に曲げられている。後方取付足３４０Ｒは左側の後方支脚３３０ＲＬの末端から延びる左側半部３４０ＲＬと、右側の後方支脚３３０ＲＲの末端に延びる右側半部３４０ＲＲとを有する。後方取付足３４０Ｒの各半部３４０ＲＬ，３４０ＲＲは接しており、それらの他端部で一体になり、釣糸ガイド３００を平面から見るとき、後方取付足３４０Ｒは略Ｕ字状を有する。他の例として、後方取付足３４０Ｒは後方支脚３３０ＲＬ，３３０ＲＲの末端から延びる１つの部品からなってもよい。
【００４９】
前方補強溝３５０Ｆは前方取付足３４０Ｆの下面３４１Ｆに形成されて、前方取付足３４０Ｆの強度を補強する。前方補強溝３５０Ｆは前方取付足３４０Ｆの下面３４１Ｆにおいて前方取付足３４０Ｆの幅方向（図１６に示す矢印ＷＤの方向）における中央に位置する。前方補強溝３５０Ｆは前方取付足３４０Ｆの前方支脚３３０Ｆの末端に接する一端３４３Ｆから他端３４４Ｆの側に前方取付足３４０Ｆの長手方向（図１６に示す矢印ＬＤの方向）に沿って延びる。後方補強溝３５０Ｒは後方取付足３４０Ｒの下面３４１Ｒに形成されて、後方取付足３４０Ｒの強度を補強する。後方補強溝３５０Ｒは後方取付足３４０Ｒの下面３４１Ｒにおいて後方取付足３４０Ｒの幅方向における中央に（例えば、半部３４０ＲＬと半部３４０ＲＲの対向する部分に）位置する。後方補強溝３５０Ｒは後方支脚３３０Ｒの末端（左側及び右側後方支脚３３０ＲＬ，３３０ＲＲの末端）に接する後方取付足３４０Ｒの一端３４３Ｒから他端３４４Ｒの側に後方取付足３４０Ｒの長手方向に沿って延びる。前方補強溝３５０Ｆ及び後方補強溝３５０Ｒは前述した実施の形態の補強溝２５０と同一の方式で形成され、前述した実施の形態の補強溝２５０の寸法条件と同一の寸法条件を有する。
【００５０】
図１６において、矢印Ｆ１と矢印Ｆ２は、仕掛けのキャスト時に釣り糸ガイドに釣糸が絡まり、仕掛けによって釣糸が引っ張られる場合に、釣糸が釣り糸ガイドの中心に向かって巻き絡まるときに釣り糸ガイドに加えられる力を例示する。また、矢印Ｆ２は釣竿を引っ張って魚を釣り上げるときに釣り糸によって釣り糸ガイドに加えられる力を例示する。このような力により前方取付足３４０Ｆまたは後方取付足３４０Ｒの一端付近には負荷が強く集中する。この実施の形態の釣り糸ガイド３００は前方及び後方取付足３４０Ｆ，３４０Ｒに前方及び後方補強溝３５０Ｆ，３５０Ｒをそれぞれ有する。前方補強溝３５０Ｆにより前方取付足３４０Ｆの一端付近には加工硬化部が生成され、後方補強溝３５０Ｒにより後方取付足３４０Ｒの一端付近には加工硬化部が生成される。このような加工硬化部によって、前方取付足３４０Ｆと後方取付足３４０Ｒは上記負荷に対して塑性変形し難くなって、釣り糸ガイド３００の強度を向上させる。また、前述した実施の形態と関連して説明した通り、釣り糸ガイド３００を釣り竿の一部１１１に固着するために接着剤を取付足に巻きつけられた巻き糸に塗布すると、接着剤が前方補強溝３５０Ｆと後方補強溝３５０Ｒ内に流入して硬化することによって、接着剤コーティング１３０の内部には前方補強溝３５０Ｆと釣り竿の一部１１１との間または後方補強溝３５０Ｒと釣り竿の一部１１１との間で補強溝に沿って延びるアンカー部が生成される。このように、前方補強溝３５０Ｆ及び後方補強溝３５０Ｒ内に埋められた接着剤が硬化して生成するアンカー部が釣り糸ガイド３００の強度をより一層補強する。
【００５１】
前方補強溝３５０Ｆ及び後方補強溝３５０Ｒを備える釣り糸ガイド３００は前述した実施の形態の釣り糸ガイド２００と類似の方式で製造される。釣り糸ガイド３００を製造する一例として、釣り糸ガイド３００は例えばステンレススチール、チタン、チタン合金等からなる金属シートをプレス加工して形成される。上記金属シートを例えばブランキング（ｂｌａｎｋｉｎｇ）して釣り糸ガイド３００を平面に展開させた形状からなる金属のブランクシートを形成する。次に、上記ブランクシートから図１６及び図１７に示す前方支脚３３０Ｆと前方取付足３４０Ｆをベンディング加工により形成し、また図１６及び図１８に示す後方支脚３３０Ｒと後方取付足３４０Ｒをベンディング加工により形成する。次に、前方取付足３４０Ｆの下面３４１Ｆに前方補強溝３５０Ｆを形成し、後方取付足３４０Ｒの下面３４１Ｒに後方補強溝３５０Ｒを形成する。前方補強溝３５０Ｆは前方取付足３４０Ｆの下面３４１Ｆを上面３４２Ｆの側に前方補強溝３５０Ｆと対応する形状の突起物が形成された押し込み工具でプレス機などを用いて押し込み加工することによって形成される。また、上記押し込み加工は前方補強溝３５０Ｆと前方取付足３４０Ｆの上面３４２Ｆとの間の前方取付足３４０Ｆの厚さ方向における部分が加工硬化するまで行われる。後方補強溝３５０Ｒも前方補強溝３５０Ｆと同一の方式で形成される。
【００５２】
釣り糸ガイド３００を製造するもう１つの例によれば、上記押し込み加工は上記ブランクシートから前方支脚３３０Ｆ、前方取付足３４０Ｆ、後方支脚３３０Ｒおよび後方取付足３４０Ｒをベンディング加工によって形成する前に行われる。すなわち、上記ブランクシートに含まれている前方取付足３４０Ｆを形成するための部分と後方取付足３４０Ｒを形成するための部分にそれぞれ前方補強溝３５０Ｆと後方補強溝３５０Ｒを形成する。次に、前方および後方補強溝３５０Ｒ，３５０Ｆが形成された上記ブランクシートから、前方支脚３３０Ｆおよび前方取付足３４０Ｆと後方支脚３３０Ｒおよび後方取付足３４０Ｒを形成する。
【００５３】
２つの取付足を有する釣り糸ガイドの他の実施の形態として、前方取付足３４０Ｆの全体及び前方支脚３３０Ｆの一部のみが金属のブランクシートから一体に製造され、後方取付足３４０Ｒの全体及び後方支脚３４０Ｒの一部のみが金属のブランクシートから一体に製造されてもよい。前方支脚３３０Ｆの残りの一部、後方支脚３３０Ｒの残りの一部及びリング保持部３２０はプラスチック材料で製造されてもよい。このような例の釣り糸ガイドは、前方支脚の上記残りの一部、後方支脚の上記残りの一部及びリング保持部をプラスチック材料または繊維強化プラスチック材料を用いて射出成形または積層成形して形成され得る。
【００５４】
以上で説明した本発明は、前述した実施の形態及び添付の図面により限定されるものではない。本発明の技術的思想を逸脱しない範囲で様々な置換、変形及び変更が可能であるということは本発明の属する技術分野で通常の知識を有する者において明白である。
【符号の説明】
【００５５】
１００  釣り竿、１１１  釣り竿の一部、１２０  巻き糸、１３０  接着剤コーティング、１３１  アンカー部、２００，２００”  釣り糸ガイド、２１０  ガイドリング、２２０，２２０”  リング保持部、２３０，２３０”  支脚、２３１  開口、２４０，２４０”  取付足、２４１  下面、２４２  上面、２４３  一端、２４４  他端、２４５  加工硬化部、２５０  補強溝、２５１  開放端、２５２  閉鎖端、２５３  底、２６０  支脚補強溝、２００’  ブランクシート、２２０’  リング保持部、２３０’  支脚部、２４０’  取付足部、３００  釣り糸ガイド、３１０  ガイドリング、３２０  リング保持部、３３０Ｆ  前方支脚、３３０Ｒ  後方支脚、３３０ＲＬ  左側の後方支脚、３３０ＲＲ  右側の後方支脚、３４０Ｆ  前方取付足、３４０Ｒ  後方取付足、３４０ＲＬ  後方取付足の左側半部、３４０ＲＲ  後方取付足の右側半部、３４１Ｆ，３４１Ｒ  下面、３４２Ｆ，３４２Ｒ  上面、３４３Ｆ，３４３Ｒ  一端、３４４Ｆ，３４４Ｒ  他端、３５０Ｆ  前方補強溝、３５０Ｒ  後方補強溝、Ｔ  釣り竿の先端に向かう方向、Ｂ  釣り竿の後端に向かう方向、ＬＤ  取付足の長手方向、ＷＤ  取付足の幅方向、ＴＤ  取付足の厚さ方向、ＬＦ  取付足の全長、ＷＦ  取付足の最大幅、ＴＦ  取付足の最大厚さ、ＬＧ  補強溝の全長、ＷＧ  補強溝の幅、ＤＧ  補強溝の深さ。
【要約】
この釣り糸ガイドは厚さが薄く長さが短いながら強度の高い取付足を有する釣り糸ガイドを提供する。この釣り糸ガイド（２００）は、リング保持部（２２０）から延びる少なくとも１つの支脚（２３０）と、支脚（２３０）の末端に位置し釣り竿に取り付けられる取付足（２４０）と、取付足（２４０）に形成された補強溝（２５０）を有する。取付足（２５０）は、釣り竿の一部と接触する下面と、厚さ方向において上記下面の反対側に位置する上面（２４２）と、支脚（２３０）の末端と連結する一端（２４３）と、長手方向において一端（２４３）の反対側に位置する他端（２４４）を有する。補強溝（２５０）は取付足（２４０）の下面において一端（２４３）から他端（２４４）に向かって取付足（２４０）の長手方向に沿って延びる。支脚（２３０）の一部と取付足（２４０）は金属材料からなる。【図２】
0005919448.tif 000002
【図３】
0005919448.tif 000003
【図４】
0005919448.tif 000004
【図５】
0005919448.tif 000005
【図６】
0005919448.tif 000006
【図７】
0005919448.tif 000007
【図８】
0005919448.tif 000008
【図９】
0005919448.tif 000009
【図１０】
0005919448.tif 000010
【図１１】
0005919448.tif 000011
【図１２】
0005919448.tif 000012
【図１３】
0005919448.tif 000013
【図１４】
0005919448.tif 000014
【図１５】
0005919448.tif 000015
【図１６】
0005919448.tif 000016
【図１７】
0005919448.tif 000017
【図１８】
0005919448.tif 000018
【図１９】
0005919448.tif 000019
【図１】
0005919448.tif 000020